(57)【要約】【課題】ケーブルの半田付けに関わるコストを低減し、細径で柔軟且つ耐久性のある着脱可能なケーブルとして構成でき、万一断線しても簡単に交換でき、ユーザーの好みに応じた長さのケーブルに交換することも可能としつつも、高画質な画像を得、軽量で操作性の良い内視鏡装置を提供する。【解決手段】本発明の内視鏡装置１では、内視鏡撮像装置５のカメラヘッド本体部９に着脱自在なケーブルユニット３１が設けられている。このケーブルユニット３１内にはカメラヘッド本体部９に電力を供給できる少なくとも２本の電線３２が配されている。ケーブル６が破損して新しいものに交換する場合や、洗浄、消毒等の作業時に取り扱い易くするために、内視鏡装置１において、各部分に分解する。すなわち、内視鏡２，ライトガイドケーブル４，カメラヘッド本体部９，ケーブルユニット３１の各部分に分けて取り扱う。カメラヘッド本体９からケーブルユニット３１を取り外した場合、各々の電気接点部は防水構造になっているので、そのまま液体に浸潰しても内部に水分が侵入することを防止できる。【選択図】    図３
2004167083.tif 000002
【特許請求の範囲】
【請求項１】
内視鏡挿入部を体腔内に挿入し、内視鏡の撮像手段により撮像された内視鏡観察像を、外部の画像プロセッサに伝送し且つ処理を行うことで、前記内視鏡観察像をモニタ表示する内視鏡装置において、
前記内視鏡観察像の映像信号を内視鏡本体部からワイヤレスで、前記画像プセッサ装置へ伝送する映像信号ワイヤレス伝送手段と、
前記内視鏡挿入部に挿通され、内視鏡先端部から照明光を出射するためのライトガイドファイバと外部光源装置とを接続し、前記内視鏡に対して着脱可能なライトガイドケーブルと、
前記内視鏡本体部と前記画像プロセッサとを接続し、少なくとも前記撮像手段と前記映像信号ワイヤレス伝送手段の駆動に必要な電力を供給する電源ケーブルと、
前記電源ケーブルと前記内視鏡本体部とを着脱自在なコネクタ手段であって、各々のコネクタ接続部分が防水機能備えて構成されるとともに、これらのコネクタを接続した際に形成される、各々のコネクタの接触部を含んだ空間を防水に保つ防水手段を有するコネクタ手段と、
具備したことを特徴とする内視鏡装置。
【発明の詳細な説明】
【０００１】
【発明の属する技術分野】
本発明は、内視鏡本体部とプロセッサ部とを、着脱可能な信号ケーブルにて画像信号の送受信する内視鏡装置に関し、特に製造コストの低コスト化，装置の軽量化，操作性の向上化及び表示画像の高画質化を図ることのできる内視鏡装置に関する。
【０００２】
【従来の技術】
近年、医療分野においては、細長の挿入部を体腔内に挿入することにより、体腔内蔵器等を観察することのできる内視鏡が広く用いられており、この内視鏡は、医療用のみならず工業用においても、ボイラ、化学プラント等の管内、あるいは機械内部の対象物等を観察、検査したりするのに用いられている。
特に患者の体腔内組織などに直接接触する内視鏡などの医療用電気機器においては、一般的に、固体撮像素子（例えばＣＣＤなど）を有する内視鏡装置は、術者が把持する操作部である内視鏡装置本体部を備え、内部にＣＣＤを有している該内視鏡装置本体部から、およそ十数本から二十本程度の、多くの電線を介して、システムとして配されたプロセッサ部に、前記ＣＣＤにより撮像された映像信号を伝送している。
【０００３】
この種の内視鏡装置においては、これら電線の一本一本は信号ケーブルを柔軟で軽量なものとするために細く形成されており、このため、操作者の扱い方によっては断線してしまうなどの耐久性上に不都合があり、耐久性を向上させることが望まれている。また、製造工程においても、それらの電線を手作業で半田付けする作業を行っているため、製造工程が煩雑であり製造コスト上に問題があることから、製造工程の簡易化及び製造コストの低減化も強く望まれている。
【０００４】
上記内視鏡装置の関連技術としては、本件出願により提案がなされた、例えば特開２００１−２０３０３０号公報に記載の電気的接続コネクター装置や、特開平６−３３５４５０号公報に記載の電子内視鏡装置、あるいは特開平２−１３６１２３号公報に記載の内視鏡装置がある。
【０００５】
前記特開２００１−２０３０３０号公報の提案では、内視鏡本体と着脱可能なケーブルが示されており、プラグ部分及びレセプタクル部分の双方の残留水分を拭き取り易くして洗滌・消毒作業性を向上させ、簡略な構造で小型で且つ安価な電気的コネクター装置を提供する目的を達成しようとしている。
【０００６】
また、前記特開平６−３３５４５０号公報の提案では、ワイヤレスで使用でき、照明光やＣＣＤを駆動するための電源として電池を内蔵し、その電池が着脱可能な充電ケーブルによって外部から充電できる内視鏡装置が示されており、これによって、ワイヤレスで使用される場合にもノイズの影響を受けないレリーズ画像を得ることのできる電子内視鏡装置を提供する目的を達成しようとしている。
【０００７】
さらに、前記特開平２−１３６１２３号公報に記載の内視鏡装置では、映像信号はワイヤレスで伝送し、照明光、電力を有線で供給する内視鏡装置が示されており、これにより、機器の配置の自由度を増し、且つ、操作性の良い内視鏡装置を提供する目的を達成しようとしている。
【０００８】
【特許文献１】
特開２００１−２０３０３０号公報（第５頁−第６頁、第１図）
【０００９】
【特許文献２】
特開平６−３３５４５０号公報（第５頁−第６頁、第７図）
【００１０】
【特許文献３】
特開平２−１３６１２３号公報（第２頁−第３頁、第２図）
【００１１】
【発明が解決しようとする課題】
しかしながら、上記従来の関連技術では以下に示す問題点がある。
【００１２】
内視鏡本体と着脱可能なケーブルを備えた内視鏡装置において、映像信号の伝送状態を考慮すると、内視鏡装置本体部から伝送される映像信号はデリケートであることから、コネクタ部で映像信号が劣化する恐れがあり、画像品質の低下を招く可能性がある。また、一般的なコネクタを用いた場合、洗浄、消毒等によりコネクタのコンタクト部が劣化し、画像に悪影響が出る恐れがある。しかしながら、前記特開２００１−２０３０３０号公報の提案では、このような問題点を解決しつつ着脱可能とするコネクタは示唆されていない。
【００１３】
また、前記特開平６−３３５４５０号公報の提案では、上述したようにワイヤレスで使用でき、照明光やＣＣＤを駆動するための電源として電池を内蔵し、その電池が着脱可能な充電ケーブルによって外部から充電できる構成について述べられているが、このような電池を搭載した製品は、構成するユニットの中で電池が重量的に大きな割合を占めてしまい、軽量化を図る上で障害となってしまう。また、頻繁に充電を行なわなければならないという煩わしさがある。
【００１４】
さらに、前記特開平２−１３６１２３号公報の提案では、上述したように映像信号をワイヤレスで伝送し、照明光、電力については有線で供給する構成について述べられているが、一般的にケーブル類は、細長くある程度柔軟性をもって作られるため、操作時や使用後の洗浄消毒時に曲げたり引張ったりなどの力によって破損してしまうことがしばしばある。逆に単純に太く、丈夫にしてしまうと操作時に邪魔になってしまうため、最適な設計を見つけ出さなければならないという難しさがある。この提案による内視鏡装置の場合、照明光を供給するライトガイドファイバや電力線が一本のケーブルにまとめられているが、操作性を考慮するとある程度細経にしなければならないため、耐久性にある程度の限界が出てくる。すると、ライトガイドファイバや電力線が破損することも出てくるが、ケーブルと内視鏡本体が一体になっており、ケーブルを修理するためにはメーカーに戻して分解修理しなければならず、修理コストが高く、再度使用できるまでに時間がかかってしまうといった不都合もあった。
【００１５】
そこで、本発明は上記問題に鑑みてなされたもので、ケーブルの半田付けに関わるコストを低減し、細径で柔軟且つ耐久性のある着脱可能なケーブルとして構成でき、万一断線しても簡単に交換でき、ユーザーの好みに応じた長さのケーブルに交換することも可能としつつも、高画質な画像を得、軽量で操作性の良い内視鏡装置を提供することを目的とする。
【００１６】
【課題を解決するための手段】
本発明による内視鏡装置は、内視鏡挿入部を体腔内に挿入し、内視鏡の撮像手段により撮像された内視鏡観察像を、外部の画像プロセッサに伝送し且つ処理を行うことで、前記内視鏡観察像をモニタ表示する内視鏡装置において、前記内視鏡観察像の映像信号を内視鏡本体部からワイヤレスで、前記画像プセッサ装置へ伝送する映像信号ワイヤレス伝送手段と、前記内視鏡挿入部に挿通され、内視鏡先端部から照明光を出射するためのライトガイドファイバと外部光源装置とを接続し、前記内視鏡に対して着脱可能なライトガイドケーブルと、前記内視鏡本体部と前記画像プロセッサとを接続し、少なくとも前記撮像手段と前記映像信号ワイヤレス伝送手段の駆動に必要な電力を供給する電源ケーブルと、前記電源ケーブルと前記内視鏡本体部とを着脱自在なコネクタ手段であって、各々のコネクタ接続部分が防水機能備えて構成されるとともに、これらのコネクタを接続した際に形成される、各々のコネクタの接触部を含んだ空間を防水に保つ防水手段を有するコネクタ手段と、具備したことを特徴とするものである。
【００１７】
この構成によれば、ケーブルが破損した場合は、前記コネクタ手段を用いてケーブルを外して新しいものに交換することができ、また、接続状態、外した状態のいずれの場合でも防水構造となっているため、作業上邪魔になる場合はケーブルを外すなどして洗浄、消毒作業を行なうことができる。すなわち、ケーブルの半田付けに関わるコストを低減し、細径で柔軟且つ耐久性のある着脱可能なケーブルとして構成でき、万一断線しても簡単に交換でき、ユーザーの好みに応じた長さのケーブルに交換することも可能としつつも、高画質な画像を得、軽量で操作性の良い内視鏡装置の実現が可能となる。
【００１８】
【発明の実施の形態】
以下、図面を参照しながら本発明の実施の形態について説明する。
【００１９】
第１の実施の形態：
図１乃至図３は本発明に係る内視鏡装置の第１の実施の形態を示し、図１は本実施の形態の内視鏡装置全体の概略構成を示す構成図、図２は図１の内視鏡撮像装置のカメラヘッド部の構成を示す外観構成図、図３は特徴となるカメラヘッド部の構成を示す断面図である。
【００２０】
（構成）
図１に示すように、本実施の形態の内視鏡装置１は、内視鏡２と、この内視鏡２に照明光を供給する光源装置３と、前記内視鏡２と前記光源装置３の間を接続するライトガイドケーブル４と、前記内視鏡２に接続され、固体撮像素子（例えばＣＣＤなど）を有する内視鏡用撮像装置５と、この内視鏡撮像装置５にケーブル６を通じて電力を供給し、無線通信によって前記内視鏡撮像装置５から発せられた映像信号を受信し、信号を処理するビデオプロセッサ７と、このビデオプロセッサ７と接続され、該ビデオプロセッサ７からの映像信号を表示するモニタ８と、を含んで構成されている。
【００２１】
次に、前記内視鏡撮像装置５に設けられたカメラヘッド本体部９の構成を、図２及び図３を参照しながら詳細に説明する。
【００２２】
前記内視鏡撮像装置５は、図２に示すように、主要構成部位であるカメラヘッド本体部９と、このカメラヘッド本体部９と着脱可能なケーブルユニット３１と、このケーブルユニット３１を介して接続されるケーブル６とで主に構成されている。
【００２３】
前記カメラヘッド本体部９は、図３に示すように、気密パッケージング１０を有して構成され、該気密パッケージング１０は、内視鏡撮像装置５のオートクレーブ滅菌可能とするために、各接続部を気密封止した気密パッケージング部材である。
【００２４】
また、この気密パッケージング１０の先端部には、内視鏡２を着脱自在に固定する内視鏡固定ユニット１１が設けられており、その後方の気密パッケージング１０の外周には、内側に外側磁石１２を保持した焦点調整リング１３が回動自在に固定されている。この焦点リング１３は、図中に示すように固定ナット１４により、前記気密パッケージング１０に固定されるようになっている。
【００２５】
気密パッケージング１０の内部には、焦点レンズ１５と、前記外側磁石１２と磁気的に連結した内側磁石１６が固定された回動自在なカムリング１８と、このカムリング１８に係合しているＣＣＤ保持部材１９，１９に光軸調整自在にビス２０で保持されたＣＣＤ２１，光学フィルター２２，ＣＣＤ２１の駆動回路（図示せず）等を有するフレキシブル基板２３とが収容されている。
【００２６】
前記フレキシブル基板２３上には、ｂｌｕｅｔｏｏｔｈ等の方式によって映像信号をワイヤレスでプロセッサ７に転送するための無線通信モジュール２４が実装されている。
【００２７】
また、前記気密パッケージング１０の外殻は、先端にサファイア窓２５が半田等により気密に固定されいる。気密パッケージング１０の後端は、ハーメチックコネクタ２９が配されており、このハーメチックコネクタ２９は、金属枠２６に、金メッキが施された電気接点ピン２７が封止用ガラス２８によって気密に固定されて構成されたものである。
【００２８】
気密パッケージ１０の内部に突出した電気接点ピン２７には、基板３０が内視鏡挿入方向に対して鉛直に半田付けされている。この基板３０には、フレキシブル基板２３が内視鏡挿入方向の向きで接続されている。また、前記電気接点ピン２７の他端は、前記気密パッケージ１０の外部に露出しており、この露出している電気接点ピン２７は、周囲の金属枠２６，封止用ガラス２７の表面もわずかに突出している。
【００２９】
次に、カメラヘッド本体部９に着脱自在なケーブルユニット３１の構成について図３を参照しながら詳細に説明する。
【００３０】
図３に示すように、カメラヘッド本体部９に着脱自在なケーブルユニット３１には、プロセッサ７と電気的に接続するためのコネクタ部４３（図１参照）を介して延設されたケーブル６の基端部が装着されている。
【００３１】
前記ケーブル６には、カメラヘッド本体部９に電力を供給できる少なくとも２本の電線３２が通っている。
【００３２】
また、ケーブル６の先端部は、ハーメチックコネクタ２９の後端から円筒状に伸張したケーブル固定部３３と、Ｏリング３４を介して水密に係合する先端枠３５が固定されている。
【００３３】
前記先端枠３５の先端には、裏側から電線３２が半田付けされ、表面はハーメチックコネクタ２９の電気接点ピン２７と接触する接点部３６が螺合固定されており、各々の接点３７は、例えばインサート成型などにより接点部３６の枠３８に水密的に固定されている。この場合、先端面の露出している接点３７は、枠３８の表面よりもわずか突出しており、裏側には接点３７の穴に電線３２の導体が挿入された状態で半田付けされている。
【００３４】
また、前記先端枠３５と前記接点部３６とで囲まれた空間には、例えばシリコーンゴム製の充填剤３９によって充填されている。
【００３５】
前記ケーブル固定部３３と先端枠３５との嵌合部近傍には、該先端枠３５の外周に回転自在に取付けられた固定ナット４０が設けられ、この固定ナット４０はケーブル固定部３３外周のネジと螺合している。
【００３６】
前記先端枠３５の後端部内周にはＯリング４１が設けられ、このＯリング４１によってケーブル６との間の防水シールとなっている。ケーブルユニット３２の前記先端枠３５の後端部が嵌合される以外の主要部分は、ケーブル保護部材４２が形成され、このケーブル保護部材４２は、ゴム製で形成されたケーブル６保護するものである。
【００３７】
また、ケーブル６の後端部は、プロセッサ７と電気的にコネクトするコネクタ部４３（図１参照）が設けられており、その構成は先端部と同様である。または、市販の防水コネクタとしても良い。
【００３８】
なお、本実施の形態では、電線３２の本数は、カメラヘッド本体部９にリモートスイッチなどを設けた場合には、そのための信号線を追加しても良い。また、ケーブルユニットの長さはユーザーの好みに応じられるよう数種類の長さのものを用意できるように構成しても良い。
【００３９】
（作用）
次に、本実施の形態の内視鏡装置の特徴となる作用を図３を参照しながら詳細に説明する。
【００４０】
いま、図１に示す内視鏡装置１を用いて、内視鏡検査を実行するものとする。この場合、内視鏡２を患者の体腔内に挿入しているものとすると、視野を照明する照明光は光源３からライトガイドケーブル４，内視鏡２を通って伝達される。
【００４１】
そして、内視鏡２の画像は、焦点レンズ１５によってＣＣＤ２１上に結像し、ＣＣＤ２１からの映像信号は、無線通信モジュール２４によって、カメラヘッド部８からケーブル６を介してプロセッサ７に送信され、該プロセッサ７による信号処理によってモニタ８にて内視鏡画像が表示され、観察可能となる。
【００４２】
例えば、ケーブル６が破損して新しいものに交換する場合や、洗浄、消毒等の作業を行う必要が生じたものとする。
【００４３】
このような場合、本実施の形態の内視鏡装置１では、ケーブル６が破損して新しいものに交換する場合や、洗浄、消毒等の作業時に取り扱い易くするために、内視鏡装置１において、各部分に分解することが出来る。すなわち、内視鏡２，ライトガイドケーブル４，カメラヘッド本体部９，ケーブルユニット３１の各部分に分けて取り扱う。
【００４４】
前記カメラヘッド本体部９からケーブルユニット３１を外す場合には、ケーブルユニット３１の先端部の固定ナット４０を緩め、ハーメチックコネクタ２９のケーブル固定部３３から、先端枠３５を引き抜けばよい。これにより、カメラヘッド本体部９からケーブルユニット３１を容易に外すことができる。この場合、各々の電気接点部は防水構造になっているので、そのまま液体に浸潰しても内部に水分が侵入することを防止できる。また、分解する必要がない場合は、そのまま液体浸漬をしても、Ｏリング３４が水分の侵入を防止することで各電気接点に水分が付着してショートすることがない。
【００４５】
（効果）
したがって、本実施の形態によれば、ケーブル６の芯線を、電力供給に必要な本数程度まで削減できるため、ケーブル６の半田付けに関わるコストを大幅に低減することができる。また、細くて柔軟且つ丈夫なケーブルとすることができるので、耐久性及び操作性を向上させることができ、また、電池式に比べて軽量で操作し易いといった効果もある。さらに、ケープルユニット３１によりケーブル６が着脱可能に構成したことで、万一断線しても簡単に交換でき、ユーザーの好みに応じた長さのケーブルに交換することも可能としつつも、映像信号を劣化させることなく高画質な画像を提供できる。
【００４６】
第２の実施の形態：
次に、本発明に係る第２の実施の形態を図４を参照しながら説明する。
【００４７】
図４は本発明に係る内視鏡装置の第２の実施の形態を示し、カメラヘッド本体部９とケーブルユニット３１との接続部近傍の断面図である。なお、図４は、前記第１の実施の形態の装置と同様な構成要素については同一の符号を付して説明を省略し、異なる部分のみを説明する。
【００４８】
本実施の形態では、ケーブルユニット３１の構成を、前記第１の実施の形態よりもさらに簡素化して構成したことが特徴である。
【００４９】
具体的には、図４に示すように、ケーブルユニット３１の先端部の、略円盤状の接点ベース１００には、先端面が凹形状となっている接点１０１が水密的に設けられており、該接点１０１にはケーブル６の電線３２の先端が半田付けされいる。
【００５０】
前記接点部ベース１００の材質は、樹脂やゴムなどの材質であり、このような材質を用いて該接点部１００が構成されている。
【００５１】
前記接点部１００とケーブル６先端部付近は、全体的にゴム１０２で一体的に覆われており、先端コネクタ部１０３を形成している。つまり、この先端コネクタ部１０３は、接点部１００とケープル６の先端部を含みゴム１０２にて例えば一体成型により構成されている。
【００５２】
すなわち、ゴム１０２の先端部は、ハーメチックコネクタ２９のケーブル固定部３３に勘合しており、嵌合部には全周にわたって断面半円状に突出したシール部１０４が形成されている。
【００５３】
また、ゴム１０２の外周には、回動自在に固定された固定ナット１０５を有し、ゴム１０２をやや圧縮しながら固定している。
【００５４】
先端コネクタ部１０３の固定ナット１０５近傍の外周には、突起部１０６が設けられており、この突起部１０６は、前記固定ナット１０５の嵌合縁部と接触することにより該固定ナット１０５の脱落を防止するためのものである。この場合、この突起部１０６は、必要に応じて固定ナット１０５を引き抜くことができる程度の突起形状に構成されている。
【００５５】
また、先端コネクタ部１０３のゴム１０２の後端部分は、ケーブル６を保護する保護部分１０７を有して構成されている。
【００５６】
その他の構成については、前記第１の実施の形態と略同様である。
【００５７】
（作用）
本実施の形態においては、前記第１の実施の形態と略同様に作用するが、固定ナット１０５はゴム製のコネクタ部１０３を圧縮しながら固定しており、接点１０１とハーメチックコネクタ２９の電気接点ピン２７との位置ずれを吸収して接触させている。接点ベース１００がゴム製の場合は、接点１０１の先端面が凹形状となっていることと合わせて、位置ずれの吸収効果がさらに高い。
【００５８】
カメラヘッド本体部９から、ケーブルユニット３１を外す場合には、固定ナット１０５を緩めながら、ハーメチックコネクタ２９のケーブル固定部３３から、ゴム１０２を引き抜けばよい。これにより、カメラヘッド本体部９からケーブルユニット３１を容易に外すことができる。この場合の各々の電気接点部における防水機能は前記第１の実施の形態と同様である。
【００５９】
（効果）
しだかって、本実施の形態によれば、前記第１の実施の形態と略同様の効果が得られ他に、先端コネクタ部１０３の大部分がゴム成型で形成されており、部品点数が少なく組立時間も短かくできる。また、前述のように、接点同士の位置ずれを吸収できるため、厳しい寸法精度が必要なく、製造工程の簡略化を図ることができる。これにより、製造コストを大幅に抑えることができるという効果を得る。
【００６０】
第３の実施の形態：
次に、本発明に係る第３の実施の形態を図５を参照しながら説明する。
【００６１】
図５は本発明に係る内視鏡装置の第３の実施の形態を示し、本発明を先端にＣＣＤを有する内視鏡に適用した場合に全体構成を示す構成図である。なお、前記第１の実施の形態とは異なる部分について説明をする。
【００６２】
本実施の形態の内視鏡装置は、本発明の特徴となる構成を、先端にＣＣＤを有する内視鏡に適用して構成したことが特徴である。
【００６３】
具体的には、図５に示すように、本実施の形態の内視鏡装置には、内視鏡本体部２００が設けられ、この内視鏡本体部２００は、先端に湾曲部２０１を有するフレキシブルタイプの内視鏡である。
【００６４】
この内視鏡本体部２００には、前記第１及び第２の実施の形態と略同様に、該内視鏡本体部２００に着脱可能なケーブルユニット３１Ａを介してケーブル２０２が接続される。
【００６５】
このケーブル２０２は、図示はしないが、光源装置２０３からの照明光を内視鏡本体部まで導くライトガイドファイバと、プロセッサ２０４から内視鏡本体部２００へ電力を供給するための電線を収容している。
【００６６】
前記ケーブル２０２の基端部は、後端側コネクタ部２０５に電気的に接続されている。この後端側コネクタ部２０５では、内部でライトガイドファイバと電線とが分岐され、それぞれ光源コネクタ２０６，プロセッサコネクタ２０７へ伸張しており、これらの光源コネクタ２０６，プロセッサ２０７を介して光源装置２０３，プロセッサ２０４に電気的に接続される。
【００６７】
前記内視鏡本体部２００内には、先端に配置されているＣＣＤからの映像信号が把持部２０８へ伝達され、無線通信モジュールから無線信号としてプロセッサ２０４へ送信する電気的回路群が収容されている。
【００６８】
なお、本実施の形態では、前記内視鏡本体部２００とケーブルユニット３１Ａを介するケーブル２０２との接続部分の構成は、前記第１の実施の形態、または前記第２の実施の形態と略同様であるが、それぞれのライトガイドファイバ端面は向き合うように配置されている点が異なる。この場合、必要に応じて、それぞれのライトガイドファイバ端面に光束を整えるためのレンズや、カバーガラスを設けるように構成すれば良い。
【００６９】
その他の構成は、前記第１の実施の形態と略同様である。
【００７０】
（作用）
本実施の形態においては、先端にＣＣＤを有する内視鏡を有する内視鏡装置である場合でも、前記第１の実施の形態の内視鏡装置と略同様に作用する。
【００７１】
すなわち、ケーブル６が破損して新しいものに交換する場合や、洗浄・消毒等の作業を行う必要が生じたものとする。
【００７２】
このような場合、従来の先端にＣＣＤを有する内視鏡を有する内視鏡装置では、通常、内視鏡本体部には体腔内に挿入する挿入部を有しているため、ケーブル部分まで含めると、ある程度ケーブルを丸めて束ねたとしても、全体的にかなりの長さの状態で洗浄、消毒等の作業をしなければならず、取り扱いがし難い。勿論、ケーブルが破損して新たに交換することも煩雑である。
【００７３】
しかし、本実施の形態では、上記内視鏡装置である場合でも、ケーブルユニット３１を介して内視鏡本体部２００と分離できるため取り扱いがし易く、すなわち洗滌・消毒等の作業や新しいケーブルの交換を簡単に行うことができる。
【００７４】
その他の作用についても前記第１の実施の形態と同様である。
【００７５】
（効果）
したがって、本実施の形態では、先端にＣＣＤを有する内視鏡を有する内視鏡装置である場合でも、前記第１の実施の形態の内視鏡装置と略同様の効果を得ることができる。
【００７６】
なお、本発明は、上述した各実施の形態、及び変形例によって限定されるものではなく、各実施の形態及び変形例を応用した場合も本発明に適応されるものである。
【００７７】
［付記］
（付記項１）  内視鏡挿入部を体腔内に挿入し、内視鏡の撮像手段により撮像された内視鏡観察像を、外部の画像プロセッサに伝送し且つ処理を行うことで、前記内視鏡観察像をモニタ表示する内視鏡装置において、
前記内視鏡観察像の映像信号を内視鏡本体部からワイヤレスで、前記画像プセッサ装置へ伝送する映像信号ワイヤレス伝送手段と、
前記内視鏡挿入部に挿通され、内視鏡先端部から照明光を出射するためのライトガイドファイバと外部光源装置とを接続し、前記内視鏡に対して着脱可能なライトガイドケーブルと、
前記内視鏡本体部と前記画像プロセッサとを接続し、少なくとも前記撮像手段と前記映像信号ワイヤレス伝送手段の駆動に必要な電力を供給する電源ケーブルと、
前記電源ケーブルと前記内視鏡本体部とを着脱自在なコネクタ手段であって、各々のコネクタ接続部分が防水機能備えて構成されるとともに、これらのコネクタを接続した際に形成される、各々のコネクタの接触部を含んだ空間を防水に保つ防水手段を有するコネクタ手段と、
具備したことを特徴とする内視鏡装置。
【００７８】
（付記項２）  前記コネクト手段の前記内視鏡本体部側のコネクタ接続部分は、ＣＣＤや光学系を収容する蒸気密パッケージングの後端部を形成するハーメチックコネクタであることを特徴とする付記項１に記載の内視鏡装置。
【００７９】
（付記項３）  前記電源ケーブルの前記画像プロセッサ側にも前記コネクト手段を設けて該電源ケーブルと前記画像プロセッサとを接続したことを特徴とする付記項１に記載の内視鏡装置。
【００８０】
（付記項４）  前記電源ケーブル両端の前記コネクト手段との結線部は、内部を充填材により充填して構成されたことを特徴とする付記項３に記載の内視鏡装置。
【００８１】
（付記項５）  前記電源ケーブル内に収容されたケーブル部分は、３本以下の芯線を有して構成されたことを特徴とする付記項１に記載の内視鏡装置。
【００８２】
（付記項６）  前記電源ケーブル内に収容されたケーブル部分は、電力供給用芯線と、ＧＮＤ線と、内視鏡装置本体部に設けられたリモートスイッチ用の信号線とから構成されたことを特徴とする付記項５に記載の内視鏡装置。
【００８３】
（付記項７）  前記撮像手段としてのＣＣＤが前記内視鏡本体部内に設けられたことを特徴とする付記項１に記載の内視鏡装置。
【００８４】
（付記項８）  前記撮像手段としてのＣＣＤが前記内視鏡挿入部の先端部内に設けられたことを特徴とする付記項１に記載の内視鏡装置。
【００８５】
【発明の効果】
以上、述べたように本発明によれば、ケーブルの半田付けに関わるコストを低減し、細径で柔軟且つ耐久性のある着脱可能なケーブルとして構成でき、万一断線しても簡単に交換でき、ユーザーの好みに応じた長さのケーブルに交換することも可能としつつも、高画質な画像を得、軽量で操作性の良い内視鏡装置を提供することが可能となる。
【図面の簡単な説明】
【図１】本発明に係る内視鏡装置の第１の実施の形態を示し、本実施の形態の内視鏡装置全体の概略構成を示す構成図。
【図２】図１の内視鏡撮像装置のカメラヘッド部の構成を示す外観構成図。
【図３】本実施の形態の特徴となるカメラヘッド部の構成を示す断面図。
【図４】本発明に係る内視鏡装置の第２の実施の形態を示し、カメラヘッド本体部とケーブルユニットとの接続部近傍の断面図。
【図５】本発明に係る内視鏡装置の第３の実施の形態を示し、本発明を先端にＣＣＤを有する内視鏡に適用した場合の全体構成を示す構成図。
【符号の説明】
１…内視鏡装置、
２…内視鏡、
３…光源装置、
４…ライトガイドケーブル、
５…内視鏡撮像装置、
６…ケーブル、
７…ビデオプロセッサ、
８…モニタ、
９…カメラヘッド本体部、
１０…気密パッケージング、
１１…内視鏡固定ユニット、
１２…外側磁石、
１３…焦点調整リング、
１４…固定ナット、
１５…焦点レンズ、
１６…内側磁石、
１９…ＣＣＤ保持部材、
２１…ＣＣＤ、
２２…光学フィルター、
２７…電気接点ピン、
２９…ハーメチックコネクタ、
３１…ケーブルユニット、
３２…電線、
３３…ケーブル固定部、
３５…先端枠、
３４…Ｏリング、
３６…接点部、
３８…枠、
３９…充填剤
４０…固定ナット、
４１…Ｏリング、
４２…ケーブル保護部材。
【図１】
2004167083.tif 000003
【図２】
2004167083.tif 000004
【図３】
2004167083.tif 000005
【図４】
2004167083.tif 000006
【図５】
2004167083.tif 000007